(57)【要約】【課題】  補充時間を気にすることなく、常に一定量のインキを筆記具に補充できる筆記具用インキ補充容器を提供する。【解決手段】  少なくともインキ６を収容するインキ収容部２と、該インキ収容部２内のインキ液面６１より上方位置とインキ液面６１より下方位置との間を上下動可能に設けられる定量カップ３と、該定量カップ３の上方且つインキ収容部２内のインキ液面６１より上方で筆記具７の外面を保持する、インキ収容部２の上部に設けられるホルダー部２２１とからなる。前記定量カップ３がインキ液面６１より上方に上昇した状態で、前記定量カップ３内のインキを、ホルダー部２２１に保持した筆記具７のペン先７１から補充する。【選択図】  図２
2006035626.tif 000002
【特許請求の範囲】
【請求項１】
少なくともインキを収容するインキ収容部と、該インキ収容部内のインキ液面より上方位置とインキ液面より下方位置との間を上下動可能に設けられる定量カップと、該定量カップの上方且つインキ収容部内のインキ液面より上方で筆記具の外面を保持する、インキ収容部の上部に設けられるホルダー部とからなり、前記定量カップがインキ液面より上方に上昇した状態で、前記定量カップ内のインキを、ホルダー部に保持した筆記具のペン先から補充する筆記具用インキ補充容器。
【請求項２】
前記定量カップの下部に、定量カップをインキ液面より上方へ付勢する弾性体を設けると共に、前記定量カップをインキ液面より下方に押圧する棒状部をホルダー部に挿脱可能に設けることを特徴とする請求項１記載の筆記具用インキ補充容器。
【請求項３】
前記定量カップをインキ補充時にインキ液面より上方位置のインキ収容部内で係止可能とすると共に、非補充時にインキ液面より下方に押下げ且つ補充時に定量カップ内面と係合し、インキ内から上方に引き上げが可能な棒状部をホルダー部に挿脱可能に設けることを特徴とする請求項１記載の筆記具用インキ補充容器。
【請求項４】
前記インキ収容部の上部に被着される蓋体を着脱自在に設けると共に、前記棒状部が該蓋体と一体的に設けられることを特徴とする請求項２又は３に記載の筆記具用インキ補充容器。
【発明の詳細な説明】
【技術分野】
【０００１】
本発明は筆記具用インキ補充容器に関する。更には、ペン先下向き状態で中詰め式筆記具の内部にインキを吸い上げ補給するタイプの筆記具用インキ補充容器に関する。
【背景技術】
【０００２】
従来より、マーキングペン等の筆記具にインキを補充する補充容器として、上方に筆記具挿入口を有するインキ収容容器内に多量のインキを収容し、内部に収容されるインキを上方の筆記具挿入口へ移動させる吸蔵体を備えたものが開示されている。
【特許文献１】特開平９−５２４９０号公報
【０００３】
前記補充容器は、筆記具のペン先を挿入口に挿入し、吸蔵体に当接した状態で保持することにより容易にインキの補充を行うことができるものであり、容器内に多量のインキを収容できるので、筆記具へのインキ補充が何度も可能なものである。しかし、前記補充容器においては、容器内のインキが、吸蔵体を通してペン先に供給され続けられ、過剰供給となる虞れがあり、一定時間経過後に筆記具を容器から外す必要があった。また、容器内のインキ残量や吸蔵体の種類によって筆記具へのインキ補充量にばらつきがでてくるため、筆記具内に必要量以上のインキが補充されてしまい、補充後にインキのボタ落ちを生じることがあった。
【発明の開示】
【発明が解決しようとする課題】
【０００４】
本発明は、前記従来の問題を解決するものであって、補充時間に関係なく、常に一定量のインキを補充できる筆記具用インキ補充容器を提供するものである。
【課題を解決するための手段】
【０００５】
本発明の筆記具用インキ補充容器は、少なくともインキを収容するインキ収容部と、該インキ収容部内のインキ液面より上方位置とインキ液面より下方位置との間を上下動可能に設けられる定量カップと、該定量カップの上方且つインキ収容部内のインキ液面より上方で筆記具の外面を保持する、インキ収容部の上部に設けられるホルダー部とからなり、前記定量カップがインキ液面より上方に上昇した状態で、前記定量カップ内のインキを、ホルダー部に保持した筆記具のペン先から補充することを要件とする。
更に、前記定量カップの下部に、定量カップをインキ液面より上方へ付勢する弾性体を設けると共に、前記定量カップをインキ液面より下方に押圧する棒状部をホルダー部に挿脱可能に設けることを要件とする。
更に、前記定量カップをインキ補充時にインキ液面より上方位置のインキ収容部内で係止可能とすると共に、非補充時にインキ液面より下方に押下げ且つ補充時に定量カップ内面と係合し、インキ内から上方に引き上げが可能な棒状部をホルダー部に挿脱可能に設けることを要件とする。
更には、前記インキ収容部の上部に被着される蓋体を着脱自在に設けると共に、前記棒状部が該蓋体と一体的に設けられることを要件とする。
【発明の効果】
【０００６】
本発明の請求項１により、筆記具に一定量のインキを容易に補充することができる。
【０００７】
本発明の請求項２により、定量カップがインキ収容部内のインキ液面を挟んで上下動するので、インキ補充時にインキ収容部内のインキが安定して定量カップ内に供給される。
【０００８】
本発明の請求項３により、部品点数を増やすことなく構成できると共に、インキ補充時に、インキ収容部内のインキを定量カップ内に安定して供給できる。
【０００９】
本発明の請求項４により、転倒時のインキ漏れを防止できると共に、蓋体の着脱に伴い定量カップが上昇、下降するので、即時の使用が可能となる。
【発明を実施するための最良の形態】
【００１０】
本発明の請求項１記載の筆記具用インキ補充容器は、補充用のインキを内蔵するインキ収容部内に、特定量のインキ（一回の補充に最適な量のインキ）を保持できる定量カップをインキ液面を跨ぐ位置で上下方向に移動可能に設けられている。更に、前記定量カップがインキ液面より上側に移動した際、インキ補充される筆記具のペン先が、前記定量カップの内面に位置するように筆記具の外面を保持するホルダーがインキ収容部上方に設けられている。
前記筆記具用インキ補充容器は、定量カップがインキ液面より下側に移動した際に、インキ収容部内の補充用インキが定量カップ内に一定量供給され、再びインキ液面より上側に移動して補充可能状態となる。
前記インキ収容部は、筆記具を保持するホルダー部を上方に有し、補充用インキ及び定量カップを収容することができるものであれば材質、形状等を限定することなく用いることができる。また、前記インキ収容部内には、定量カップの動きを上下方向のみに規制するための規制壁を設けたり、収容する補充用インキを残すことなく定量カップ内に供給するために、インキ収容部内側底面に凹段部、テーパー部、曲面部等を設け、定量カップが最下部に位置した際に、定量カップ内に補充用インキを誘導する構造をとることが好ましい。
【００１１】
前記ホルダー部は、定量カップの上方に配置され、インキ補充する筆記具を特定の位置（即ち、インキ液面より上方に移動した定量カップ内のインキをペン先から補充できる位置）で保持することが可能な形状及び構成を有している。前記ホルダー部としては特定形状の孔部とする他、クリップ構造等の挟持部とすることができる。
【００１２】
前記定量カップは、一回の補充で筆記具内に充填可能なインキ量と等しい容積を有し、前記インキ収容部内で上下動可能なものであれば比重、形状等は限定されることなく用いられる。前記定量カップの内側底面には、補充時に筆記具のペン先が最後までインキ中に浸るように凹段部、テーパー部、曲面部等を設けてインキをペン先近傍に誘導することが好ましい。
【００１３】
また、前記定量カップの下部に、定量カップをインキ液面より上方へ付勢する弾性体を設けると共に、前記定量カップをインキ液面より下方に押圧する棒状部をホルダー部に挿脱可能に設けることができる。
前記弾性体は、定量カップをホルダー近傍（即ち、容器内のインキ液面より上方且つ、ホルダーに保持された筆記具のペン先が定量カップ内のインキを補充可能となる位置）まで押し上げることができる弾性力及び長さを有すると共に、下方に押圧した際に、インキ収容部内側底面のインキが定量カップ内に供給可能となる位置まで下げることができる弾性力を有するものが配置される。
前記棒状部は、定量カップをインキ収容部底面まで押し下げることが可能な長さを有するものが用いられ、更には、インキ収容部内のインキと接触する外周面に、界面活性剤等をコーティングしたり混練することで、インキ内から取り出した際にインキが付着しないように構成したものが好ましく用いられる。
【００１４】
また、前記定量カップをインキ補充時にインキ液面より上方位置のインキ収容部内で係止可能とすると共に、非補充時にインキ液面より下方に押下げ且つ補充時に定量カップ内側底面と係合し、インキ内から上方に引き上げが可能な棒状部をホルダー部に挿脱可能に設ける構成とした際、前記定量カップ及び棒状部には、嵌合突起、嵌合凹部、磁性体、吸盤、ネジ体等を用いた係合部を形成することもできる。
前記定量カップに形成される係合部は、ホルダー近傍（即ち、容器内のインキ液面より上方且つ、ホルダーに保持された筆記具のペン先が定量カップ内のインキを補充可能となる位置）に係合するように形成され、前記棒状部に形成される係合部は、前記定量カップの内面で係合するように形成される。その際、これら二箇所の係合力（定量カップとホルダー近傍との係合力及び定量カップと棒状部との係合力）は、ホルダー近傍部との係合力よりも、棒状部との係合力が強くなるように調整される。また、係合部を用いる場合、上昇時（インキ補充状態）に棒状部と定量カップ内面との係合を外すためのストッパーを設けることが好ましい。
前記定量カップが二箇所で係合することにより、定量カップの上下動を確実に行うことができると共に、インキ補充時に定量カップがインキ中に落下することなく、ペン先から確実にインキを供給できるものとなる。
【００１５】
更に、前記棒状部は、一体成形又は嵌着等の手段により、インキ収容部の開口部分に被着される蓋体と一体的に設けることも可能である。これにより、インキ補充時に蓋体を外すことで、棒状部がホルダー部から外れ、補充用のインキを収容した定量カップが上昇し、インキ補充可能状態となると共に、使用後に蓋体を被せることで、棒状部がホルダー部に挿入され、定量カップが下降してインキ液面より下方に配置される。
【実施例１】
【００１６】
本発明の実施例を図１及び２に示す。
図１及び２の筆記具用インキ補充容器１は、本体２１と内蓋２２から形成されるインキ収容部２内に、補充用インキ６及び定量カップ３を収容するものであり、定量カップ３の下部には定量カップ３を上方に付勢するスプリング５を配置してなる。
前記内蓋２２には、定量カップ３の上方に位置する孔状のホルダー部２２１が形成されており、インキ補充時にインキ液面６１より上方に上昇した定量カップ３の内側底面とペン先７１とが当接する位置で筆記具７を保持できるものである。
前記定量カップ３は、１回のインキ補充で筆記具７に補充できる最適な量のインキを保持できる容積であり、上昇時に余量のインキをインキ収容部２内に戻すための切欠３１が設けられている。  また、非使用時に、前記ホルダー部２２１には、定量カップ３をインキ液面６１より下方に押し下げるための棒状部４１を備えた蓋体４が挿入被着される。
前記棒状部４１は、ホルダー部２２１の内径より小さく、定量カップ３を本体２１の底面と当接する位置まで押し下げることが可能な長さを有しており、更に、蓋体４を装着した際に、ホルダー部２２１と環状に密接可能な形状を有している。また、棒状部４１の外表面には、フッ素コートが施されており、インキ６が多量に付着することなくインキ６中から取り出すことができる。
【００１７】
使用時に蓋体４を外すことで、棒状部４１により下方に押圧されていた定量カップ３が、インキ液面６１より上方に到達可能な長さのスプリング５により付勢され、内蓋２２の内面と当接する位置まで上昇して補充可能状態となる。その際、定量カップ３内に供給されたインキ６の過剰分が切欠３１から排出されインキ収容部２内に戻る。
その後、ホルダー部２２１に筆記具７を挿入保持することで、ペン先７１からのインキ補充が開始され、適量のインキ補充が可能となる。
【００１８】
更に、インキ補充が完了した後には、棒状部４１をホルダー部２２１内に挿入し、蓋体４を被着することで、定量カップ３が棒状部４１によりインキ液面６１より下方に押圧され、再び定量カップ３内にインキ６が供給される。
【実施例２】
【００１９】
本発明の他の実施例を図３乃至７に示す。
図３乃至７の筆記具用インキ補充容器１は、本体２１と内蓋２２から形成されるインキ収容部２内に補充用インキ６及び定量カップ３を収容し、棒状部４１を内側に嵌着してなる蓋体４を有するものである。
【００２０】
前記内蓋２２には、定量カップ３の上方に位置する孔状のホルダー部２２１が形成されると共に、内蓋内面に当接する位置で定量カップ３を嵌合保持する第一嵌合部２２３と、定量カップ３の横方向の可動範囲を規制する規制壁２２２とが設けられており、インキ補充時に定量カップ３内のインキがペン先７１に接触する位置で、定量カップ３と筆記具７とを保持できるものである。また、内蓋２２は、補充可能状態とする際に第一嵌合部２２３で定量カップ３を保持したまま棒状部４１と定量カップ３との嵌合を外すためのストッパーを兼ねている。
前記定量カップ３は、１回のインキ補充で筆記具７に補充できる最適な量のインキを保持できる容積を備え、上昇時に余量のインキをインキ収容部２内に戻すための切欠３１が設けられると共に、定量カップ３内のインキが補充され減少した際にインキが集まる箇所となる凹段部３２を有している。更に、前記凹段部３２には、棒状部４１の先端部分に形成された嵌合用凸部４１１と嵌合可能な嵌合用凹部３２１が形成されている。
【００２１】
また、非使用時においては、第一嵌合部２２３で係止される定量カップ３をインキ液面６１より下方に押し下げるための棒状部４１を嵌着してなる蓋体４が、ホルダー部２２１に挿入装着される。
前記棒状部４１は、ホルダー部２２１の内径より小さく、定量カップ３を本体２１の内側底面と当接する位置まで押し下げることが可能な長さを有しており、外れることのない強度で蓋体４の内側の突起に嵌着されている。更に、蓋体４を装着した際に、ホルダー２２１と気密嵌合可能な形状を有している。また、棒状部４１の先端部近傍には、前記定量カップ３の凹段部３２内に設けられる嵌合用凹部３２１と嵌合可能な形状を有する嵌合用凸部４１１が設けられ、第二の嵌合部分を形成している。その際、前記第二の嵌合部分の嵌合力が、第一嵌合部２２３と定量カップ３の外周との嵌合（即ち、第一の嵌合部分）による嵌合力より大きくなるように形成されている。これにより定量カップ３を引き上げた際、第一嵌合部２２３で定量カップ３を確実に係止できるものとなる。
【００２２】
使用時に蓋体４を外して棒状部４１をホルダー部２２１から抜き取ることで、棒状部４１に設けられる嵌合用凸部４１１と凹段部３２内に設けられる嵌合用凹部３２１（即ち、第二の嵌合部分）で嵌合する定量カップ３が、インキ液面５より上方に上昇され、第一の嵌合部分で嵌合した後、内蓋２２内面と当接する位置で嵌合用凸部４１１が嵌合用凹部３２１から逸脱して補充可能状態となる。その際、定量カップ３内に供給されたインキ６の過剰分が切欠３１から排出されインキ収容部２内に戻る。
その後、ホルダー２２１に筆記具７を挿入することで、ペン先７１からのインキ補充が開始され、適量のインキ補充が可能となる。
【００２３】
更に、インキ補充が完了した後、棒状部４１をホルダー部２２１内に挿入して蓋体４を装着することで、定量カップ３が棒状部４１により押圧され、第一の嵌合部分（定量カップ３の外周と第一嵌合部２２３との嵌合）の嵌合が外れ、インキ６内に入り、定量カップ３の外側底面が本体２の内側底面と接触し、嵌合用凸部４１１と嵌合用凹部３２１とが嵌合する。それにより再び定量カップ３内に適量のインキ６が供給される。
【図面の簡単な説明】
【００２４】
【図１】本発明の筆記具用インキ補充容器の非使用状態を示す縦断面図である。
【図２】本発明の筆記具用インキ補充容器の使用状態を示す縦断面図である。
【図３】本発明の筆記具用インキ補充容器の非使用状態を示す縦断面図である。
【図４】本発明の筆記具用インキ補充容器の使用状態を示す縦断面図である。
【図５】図３における棒状部と定量カップとの嵌合部分（第二の嵌合部分）を示す拡大図である。
【図６】図４の定量カップ及び規制壁部分（第一の嵌合部分）のＡ−Ａ断面図である。
【図７】図４の規制壁部分のＢ−Ｂ断面図である。
【符号の説明】
【００２５】
１  筆記具用インキ補充容器
２  インキ収容部
２１  本体
２２  内蓋
２２１  ホルダー部
２２２  規制壁
２２３  第一嵌合部
２２４  インキ流通部
３  定量カップ
３１  切欠
３２  凹段部
３２１  嵌合用凹部
４  蓋体
４１  棒状部
４１１  嵌合用凸部
５  スプリング
６  補充用インキ
６１  インキ液面
７  筆記具
７１  ペン先
【図１】
2006035626.tif 000003
【図２】
2006035626.tif 000004
【図３】
2006035626.tif 000005
【図４】
2006035626.tif 000006
【図５】
2006035626.tif 000007
【図６】
2006035626.tif 000008
【図７】
2006035626.tif 000009